(57)【要約】【課題】スラブ貫通配管のリフォームが大きな騒音や振動を生じることなく実施でき、騒音公害の発生がないと共に、作業能率の向上と施工費用の低減が図れるスラブ貫通配管の取り換え工法を提供する。【解決手段】  スラブＡを貫通する既設配管Ｂの途中を、スラブ貫通部分を所要長さスラブに残した状態で切断除去し、スラブに残した既設配管Ｂ２の内部に合成樹脂製のチューブ１を挿入してエアで膨らませ、その外周面をスラブに残した既設配管Ｂ２の内周面に接着させてライニングを形成し、この後、既設配管Ｂの切断除去した部分に新たな配管Ｃを位置させ、スラブに残した既設配管Ｂ２の端部と新たな配管Ｃの端部を継手４で接続する。【選択図】図３
2006266374.tif 000002
【特許請求の範囲】
【請求項１】
スラブを貫通する既設配管の途中を、スラブ貫通部分を所要長さスラブに残した状態で切断除去し、スラブに残した既設配管の内部に合成樹脂製のチューブを挿入し、このチューブをエアで膨らませてその外周面をスラブに残した既設配管の内周面に接着させ、接着部分の固化後にスラブに残した既設配管の端部からはみ出たチューブの余剰部分を切断除去することにより、スラブに残した既設配管の内周面に前記チューブによるライニングを形成し、この後、既設配管の切断除去した部分に新たな配管を位置させ、スラブに残した既設配管の端部と新たな配管の端部を継手で接続することを特徴とするスラブ貫通配管の取り換え工法。
【発明の詳細な説明】
【技術分野】
【０００１】
この発明は、建物のコンクリートスラブを貫通する配管をリフォームするために新たな配管と取り換える作業が、低騒音で能率よく施工できるスラブ貫通配管の取り換え工法に関する。
【背景技術】
【０００２】
マンションの共用部分やビルのスラブを貫通する排水管や給水管のような配管は、破損や経年による劣化、錆の発生による管内径の不足や赤錆水の発生等によって新たな配管と取り換えるリフォームの必要が生じる。
【０００３】
従来、上記のようなスラブを貫通する配管を新たな配管にリフォームする工法は、配管が貫通するスラブの配管の周囲を、先端にビットを取付けた振動機械によって砕くか、ビットをハンマーで打撃しながら手作業によって砕くことにより、配管の周囲に孔をあけ、この後、スラブから分離された配管を孔から抜き取ったあとに該孔に新たな配管を挿入し、この新たな配管と孔の空間をモルタルやセメントで埋めるようにしている。
【発明の開示】
【発明が解決しようとする課題】
【０００４】
しかし、振動機械や手作業によってスラブを砕く方法は、大きな騒音と振動が発生し、周囲住民に対する騒音公害になっていると共に、スラブの破砕屑を処理するための経費が別途発生する。
【０００５】
また、スラブを振動機械や手作業によって砕く方法は、作業能率が悪いため、分厚いスラブに孔をあけるには時間と経費がかかるという問題がある。
【０００６】
そこで、この発明の課題は、スラブを貫通する既設配管のスラブ貫通部分を所要長さだけそのまま残して切断し、切断した部分に新たな配管を接続することで、スラブ貫通配管のリフォームが大きな騒音や振動を生じることなく実施でき、騒音公害の発生がないと共に、作業能率の向上と施工費用の低減が図れるスラブ貫通配管の取り換え工法を提供することにある。
【課題を解決するための手段】
【０００７】
上記のような課題を解決するため、この発明は、スラブを貫通する既設配管の途中を、スラブ貫通部分を所要長さスラブに残した状態で切断除去し、スラブに残した既設配管の内部に合成樹脂製のチューブを挿入し、このチューブをエアで膨らませてその外周面に塗布した接着剤でスラブに残した既設配管の内周面に接着させ、接着部分の固化後にスラブに残した既設配管の端部からはみ出たチューブの余剰部分を切断除去することにより、スラブに残した既設配管の内周面にチューブによるライニングを形成し、この後、既設配管の切断除去した部分に新たな配管を位置させ、スラブに残した既設配管の端部と新たな配管の端部を継手で接続する構成を採用したものである。
【０００８】
ここで、スラブに残す既設配管の上下長さは、スラブの厚みの３倍になるよう、スラブの上下で切断し、スラブに残した既設配管の管内周面を洗浄及び研磨して錆や付着物を除去し、乾燥後に予め外面に接着剤を塗布したチューブを挿入して空気で膨らませるようにし、また、スラブに残した既設配管の端部と新たな配管の端部を接続する継手としては、フランジ継手、ソケット継手を採用することができる。
【発明の効果】
【０００９】
この発明によると、スラブを貫通する既設配管の途中を、スラブ貫通部分を所要長さスラブに残した状態で切断除去し、既設配管の切断除去した部分に新たな配管を位置させ、スラブに残した既設配管の端部と新たな配管の端部を継手で接続するようにしたので、スラブ貫通配管のリフォームがスラブを切削することなく行え、スラブ貫通配管のリフォームが騒音公害を生じることなく実施でき、スラブ貫通配管のリフォームに要する作業能率の向上と施工費用の低減が図れると共に、マンションやビルに対して居住のままでスラブ貫通配管のリフォームが行えることになる。
【００１０】
また、スラブに残した既設配管の内周面をチューブによるライニングで保護することにより、スラブに残した既設配管を取り除くことなく再使用可能になり、スラブ貫通配管のリフォームが極めて簡単に施工できると共に、チューブは空気で膨らませて接着するため、既設配管の内周面のライニングが簡単に能率よく行える。
【発明を実施するための最良の形態】
【００１１】
以下、この発明の実施の形態を添付図面に基づいて説明する。
【００１２】
スラブＡを貫通する既設配管Ｂの取り換えを行うには、先ず、図１（ａ）と（ｂ）のように、上階スラブＡ１と下階スラブＡ２の間において、既設配管Ｂの途中を、スラブ貫通部分に所要長さだけスラブに残すようにスラブの上下位置において切断除去する。
【００１３】
上記スラブに残す既設配管Ｂ２の上下長さを、スラブＡの厚みの３倍になるよう、スラブＡの上下で切断し、スラブＡに残した既設配管Ｂ２の管内周面を洗浄及び研磨して錆や付着物を除去する。
【００１４】
このスラブに残す既設配管Ｂ２の上下長さをスラブＡの厚みの３倍に設定するのは、既設配管Ｂ２のスラブに対する固定強度を維持しながら、上下にスラブの厚み分の長さを突出させることで、新たな配管の接続に必要とする長さの部分を確保し、かつ、スラブに残す既設配管Ｂ２の上下長さをできるだけ短く設定するためである。
【００１５】
次に、予め外面に合成樹脂の接着剤を塗布したチューブ１を用意し、スラブに残った既設配管Ｂ２の管内周面が乾燥するとこのチューブ１を既設配管Ｂ２の内部に挿入し、図２（ａ）のように、チューブ１を圧搾空気の注入によって膨らませ、チューブ１の外面をスラブに残した既設配管Ｂ２の管内周面に圧接させることにより接着させる。
【００１６】
上記チューブ１は、可撓性と気密性及び耐久性のある合成樹脂シートを用い、膨らませた時にスラブに残した既設配管Ｂ２の内面に密着する外径と、スラブに残した既設配管Ｂ２よりも長い長さを有する風船状に形成され、その外面に合成樹脂の接着剤が塗布され、小径となる空気注入口２の部分に逆止弁３を設け、膨らませた状態が保持できるようになっている。
【００１７】
図２（ａ）のように、チューブ１をスラブに残した既設配管Ｂ２の内部に挿入して膨らませると、予め外面に塗布した接着剤がスラブに残した既設配管Ｂ２の内周面に接着し、接着部分の固化後に空気を抜き、図２（ｂ）のように、スラブに残した既設配管Ｂ２の端部からはみ出たチューブ１の余剰部分を切断除去することにより、スラブに残した既設配管Ｂ２の内周面に切断後のチューブ１によるライニング１ａを形成することができる。
【００１８】
スラブに残した既設配管Ｂ２の内周面にライニング１ａを施工すると、図３（ａ）のように、既設配管Ｂの切断除去した部分に適応する長さと直径を有する新たな配管Ｃを用意し、この新たな配管Ｃを上下に位置するスラブに残した既設配管Ｂ２の間に位置させ、この状態で、図３（ｂ）のように、新たな配管Ｃの上下両端部と上下のスラブに残した既設配管Ｂ２の端部を継手４で接続することによって配管Ｂのリフォームが完了する。
【００１９】
図４は、継手４の一例としてフランジ継手を示し、新たな配管Ｃの端部とスラブに残した既設配管Ｂ２の端部にそれぞれフランジ５と６を外嵌固定し、シール材７を挟んで重ねた両フランジ５と６を複数のボルト８とナット９で締結することにより、新たな配管Ｃとスラブに残した既設配管Ｂ２を接続する構造になっている。
【００２０】
図５は、継手４の一例としてソケット継手を示し、円筒状で内周の上下中間部に鍔１０を設けたソケット本体１１の下部内径１２をスラブに残した既設配管Ｂ２の上端部に外嵌固定し、ソケット本体１１の上部内径１３に新たな配管Ｃの下端部を嵌め込むことにより、新たな配管Ｃとスラブに残した既設配管Ｂ２を接続する構造になっている。
【００２１】
このソケット継手の場合、スラブに残した既設配管Ｂの端部に予めソケット本体１１を取付けておき、チューブ１によるライニング１ａをソケット本体１１の鍔１０の位置まで一体に施すようにしてもよい。
【００２２】
また、新たな配管Ｃの両端部とスラブに残した既設配管Ｂ２の端部を接続する継手４は、上下の一方にフランジ継手と他方にソケット継手を使用した併用としてもよいと共に、継手４には図示に例示した以外の既存の各種管継手を採用することもできる。
【００２３】
上記のように、この発明のスラブ貫通配管の取り換え工法は、スラブＡを貫通する既設配管Ｂの途中を、スラブ貫通部分を所要長さスラブに残した状態で切断除去し、既設配管Ｂの切断除去した部分に新たな配管Ｃを位置させ、スラブに残した既設配管Ｂ２の端部と新たな配管の端部Ｃを継手４で接続するので、スラブ貫通配管ＢのリフォームがスラブＡを切削することなく行え、スラブ貫通配管Ｂのリフォームが騒音公害を生じることなく実施でき、スラブ貫通配管Ｂのリフォームに要する作業能率の向上と施工費用の低減が図れると共に、マンションやビルに対して居住のままでスラブ貫通配管Ｂのリフォームが行えることになる。
【００２４】
また、スラブＡに残した既設配管Ｂ２の内周面をチューブ１によるライニング１ａで保護することにより、スラブＡに残した既設配管Ｂ２を取り除くことなく再使用可能になり、チューブ１は空気で膨らませて接着するため、既設配管Ｂ２の内周面のライニング１ａが簡単に能率よく行える。
【図面の簡単な説明】
【００２５】
【図１】（ａ）はスラブ貫通配管の取り換え前の切断除去部分を斜線で示す縦断面図、（ｂ）はスラブ貫通配管の途中を切断除去して配管の一部をスラブに残した状態を示す縦断面図
【図２】（ａ）はスラブ貫通配管のスラブに残した部分に挿入したチューブを膨らませた状態の縦断面図、（ｂ）はスラブ貫通配管のスラブに残した部分に挿入したチューブでライニングを施した状態の縦断面図
【図３】（ａ）はスラブ貫通配管のスラブに残した部分に新たな配管をセットした状態を示す縦断面図、（ｂ）はスラブ貫通配管のスラブに残した部分に新たな配管を接続した状態の縦断面図
【図４】スラブ貫通配管のスラブに残した部分と新たな配管を接続するフランジ継手の構造を示す縦断面図
【図５】スラブ貫通配管のスラブに残した部分と新たな配管を接続するソケット継手の構造を示す縦断面図
【符号の説明】
【００２６】
Ａ        スラブ
Ｂ        既設配管
Ｂ２      スラブに残した既設配管
１        チューブ
２        空気注入口
３        逆止弁
４        継手
５        フランジ
６        フランジ
７        シール材
８        ボルト
９        ナット
１０      鍔
１１      ソケット本体
１２      下部内径
１３      上部内径
【図１】
2006266374.tif 000003
【図２】
2006266374.tif 000004
【図３】
2006266374.tif 000005
【図４】
2006266374.tif 000006
【図５】
2006266374.tif 000007